(57)【要約】【課題】陳列室の棚下方に冷気を吐出し、棚の上下で陳列室内を異なる使用温度帯とすることができるショーケースにおいて、棚下方に冷気を吐出する構造を簡素化する。【解決手段】陳列室６の左右に位置して上下に渡る支柱と、各支柱に形成された係合孔に係脱自在に取り付けられた左右一対のブラケット２１と、各ブラケット２１間に渡ってそれらを連結する筋交い２３とを備え、棚１７は、筋交い２３の上側に位置して各ブラケット２１に保持されると共に、筋交い２３は棚１７の前部まで渡り、吹出口３４から吹き出された冷気を棚１７の前部に案内する。【選択図】図３
2014121429.tif 000002
【特許請求の範囲】
【請求項１】
断熱壁の内側に仕切板を設け、該仕切板と前記断熱壁間に冷気ダクトを、前記仕切板の内側に前面が開口した陳列室をそれぞれ構成し、該陳列室内には商品陳列用の棚を架設すると共に、前記冷気ダクト内を上昇する冷気を前記仕切板に形成された吹出口から前記棚の前部に案内し、当該棚下方の前記陳列室内に吐出可能とされたショーケースにおいて、
前記陳列室の左右に位置して上下に渡る支柱と、
各支柱に形成された係合孔に係脱自在に取り付けられた左右一対のブラケットと、
各ブラケット間に渡ってそれらを連結する筋交いとを備え、
前記棚は、前記筋交いの上側に位置して前記各ブラケットに保持されると共に、前記筋交いは前記棚の前部まで渡り、前記吹出口から吹き出された冷気を前記棚の前部に案内することを特徴とするショーケース。
【請求項２】
前記棚は、前記ブラケットに引出自在に保持されると共に、前記棚が前記陳列室内から引き出された状態で、前記筋交いは前記棚後方の前記陳列室内を上下に仕切ることを特徴とする請求項１に記載のショーケース。
【請求項３】
前記棚の前端に設けられた棚飾りを備え、該棚飾りは、前記吹出口から吹き出され、前記筋交いにより案内された冷気を下方に指向させる風向板部を有することを特徴とする請求項１又は請求項２に記載のショーケース。
【請求項４】
前記筋交いには、前記吹出口から吹き出された冷気を整流する突条を前後に渡って形成したことを特徴とする請求項１乃至請求項３のうちの何れかに記載のショーケース。
【請求項５】
前記突条は、前記吹出口から吹き出された冷気を左右方向に拡散させることを特徴とする請求項４に記載のショーケース。
【請求項６】
前記吹出口を開閉自在に閉塞すると共に、開放した状態で前記冷気ダクトを閉塞し、当該冷気ダクト内を上昇する冷気を前記吹出口に向かわせるダンパを備えたことを特徴とする請求項１乃至請求項５のうちの何れかに記載のショーケース。
【請求項７】
前記棚には電気ヒータを設けたことを特徴とする請求項６に記載のショーケース。
【発明の詳細な説明】
【技術分野】
【０００１】
本発明は、陳列室内に架設した棚より下方の陳列室内を冷却、棚より上方の陳列室内を加温するなど、冷却とは異なる温度として使用することができるショーケースに関するものである。
【背景技術】
【０００２】
従来より缶飲料やペットボトル入り飲料等の商品を陳列販売するショーケースでは、前面が開口する陳列室内に商品陳列用の棚を架設し、この棚には電気ヒータを取り付けると共に、棚下面には棚ダクトを形成していた。そして、棚より上方の陳列室内を加温使用（温蔵温度帯）とし、下方を冷却使用（冷蔵温度帯等）とすることができるようにし、その場合には陳列室の背面の仕切板と断熱壁間に形成された冷気ダクトより冷気を棚ダクトに導入し、棚の前部から下方の陳列室内に吐出して冷却すると共に、電気ヒータを発熱させて棚上方の陳列室内を加温する方式が採られていた。
【０００３】
また、係る棚ダクトへの冷気の導入は、仕切板に形成した吹出口と冷気ダクトの何れかを、当該仕切板にスライド自在に取り付けられたダンパによって開閉することにより行っていた（例えば、特許文献１参照）。
【先行技術文献】
【特許文献】
【０００４】
【特許文献１】特開２００５−１５６０３４号公報
【発明の概要】
【発明が解決しようとする課題】
【０００５】
しかしながら、棚の前部から冷気を下方に吐出ために、棚の下面などに棚ダクトを構成すると、棚自体の構造が複雑化し、コストが高騰する問題があった。
【０００６】
本発明は、係る従来の技術的課題を解決するために成されたものであり、陳列室の棚下方に冷気を吐出し、棚の上下で陳列室内を異なる使用温度帯とすることができるショーケースにおいて、棚下方に冷気を吐出する構造を簡素化することを目的とする。
【課題を解決するための手段】
【０００７】
上記課題を解決するために本発明のショーケースは、断熱壁の内側に仕切板を設け、この仕切板と断熱壁間に冷気ダクトを、仕切板の内側に前面が開口した陳列室をそれぞれ構成し、この陳列室内には商品陳列用の棚を架設すると共に、冷気ダクト内を上昇する冷気を仕切板に形成された吹出口から棚の前部に案内し、当該棚下方の陳列室内に吐出可能とされたものであって、陳列室の左右に位置して上下に渡る支柱と、各支柱に形成された係合孔に係脱自在に取り付けられた左右一対のブラケットと、各ブラケット間に渡ってそれらを連結する筋交いとを備え、棚は、筋交いの上側に位置して各ブラケットに保持されると共に、筋交いは棚の前部まで渡り、吹出口から吹き出された冷気を棚の前部に案内することを特徴とする。
【０００８】
請求項２の発明のショーケースは、上記発明において棚は、ブラケットに引出自在に保持されると共に、棚が陳列室内から引き出された状態で、筋交いは棚後方の陳列室内を上下に仕切ることを特徴とする。
【０００９】
請求項３の発明のショーケースは、上記各発明において棚の前端に設けられた棚飾りを備え、この棚飾りは、吹出口から吹き出され、筋交いにより案内された冷気を下方に指向させる風向板部を有することを特徴とする。
【００１０】
請求項４の発明のショーケースは、上記各発明において筋交いには、吹出口から吹き出された冷気を整流する突条を前後に渡って形成したことを特徴とする。
【００１１】
請求項５の発明のショーケースは、上記発明において突条は、吹出口から吹き出された冷気を左右方向に拡散させることを特徴とする。
【００１２】
請求項６の発明のショーケースは、上記各発明において吹出口を開閉自在に閉塞すると共に、開放した状態で冷気ダクトを閉塞し、当該冷気ダクト内を上昇する冷気を吹出口に向かわせるダンパを備えたことを特徴とする。
【００１３】
請求項７の発明のショーケースは、上記発明において棚には電気ヒータを設けたことを特徴とする。
【発明の効果】
【００１４】
本発明によれば、断熱壁の内側に仕切板を設け、この仕切板と断熱壁間に冷気ダクトを、仕切板の内側に前面が開口した陳列室をそれぞれ構成し、この陳列室内には商品陳列用の棚を架設すると共に、冷気ダクト内を上昇する冷気を仕切板に形成された吹出口から棚の前部に案内し、当該棚下方の陳列室内に吐出可能とされたショーケースにおいて、陳列室の左右に位置して上下に渡る支柱と、各支柱に形成された係合孔に係脱自在に取り付けられた左右一対のブラケットと、各ブラケット間に渡ってそれらを連結する筋交いとを備え、棚は、筋交いの上側に位置して各ブラケットに保持されると共に、筋交いは棚の前部まで渡り、吹出口から吹き出された冷気を棚の前部に案内するようにしたので、仕切板の吹出口から吹き出された冷気を棚を保持するブラケットの筋交いにより棚の前部に案内することができるようなる。
【００１５】
即ち、例えば請求項６の発明の如く吹出口を開閉自在に閉塞するダンパを設けて、吹出口を開放した状態で冷気ダクトを閉塞し、冷気ダクト内を上昇する冷気を吹出口に向かわせるようにし、請求項７の発明の如く棚に電気ヒータを設け、棚より上方の陳列室内を加温して温蔵温度帯とし、棚より下方には冷気を吐出して冷却温度帯で使用する場合等に、棚に格別なダクト構造を形成すること無く、ブラケットの筋交いにより冷気を棚の前部に案内し、棚下方に吐出することができるようになり、構造の簡素化による著しい生産コストの削減を図ることができるようになる。
【００１６】
特に、請求項２の発明の如く棚がブラケットに引出自在に保持される場合、商品の補充のために棚が陳列室内から引き出された状態で、筋交いが棚後方の陳列室内を上下に仕切るようにすれば、棚を引き出して商品を補充している最中に、棚の上下で陳列室内の空気が流通してしまう不都合を防止することができるようになる。
【００１７】
また、請求項３の発明の如く棚の前端に設けられた棚飾りに、吹出口から吹き出され、筋交いにより案内された冷気を下方に指向させる風向板部を設ければ、仕切板方向から前方に流れて来た冷気を、棚飾りにより棚下方に向けて方向転換させることができるようになり、格別な風向板等を取り付ける必要が無くなり、更なる構造の簡素化を図ることが可能となる。また、請求項８の発明の如く棚に電気ヒータを設ければ、その熱で風向板部への結露も防止若しくは抑制することが可能となる。
【００１８】
また、請求項４の発明の如く筋交いに、吹出口から吹き出された冷気を整流する突条を前後に渡って形成することにより、棚から下方に均一に冷気を吐出することができるようになる。この場合、請求項５の発明の如く突条により、吹出口から吹き出された冷気を左右方向に拡散させるようにすれば、比較的冷気が不足し勝ちとなる陳列室内左右隅部の冷却も補償することができるようになるものである。
【図面の簡単な説明】
【００１９】
【図１】本発明を適用した一実施例のショーケースの斜視図である（実施例１）。
【図２】図１のショーケースの縦断側面図である。
【図３】図２のショーケースの棚部分の拡大図である。
【図４】図２のショーケースの棚を除くダンパ部分の正面図である。
【図５】図４のＡ−Ａ線断面図である。
【図６】図１のショーケースのダンパ部分の分解斜視図である。
【図７】図１のショーケースの棚の上方斜視図である。
【図８】図１のショーケースの棚の下後方斜視図である。
【図９】図１のショーケースの棚の下前方斜視図である。
【図１０】図１のショーケースの棚の上面図である。
【図１１】図１のショーケースの棚の正面図である。
【図１２】図１のショーケースの棚の下面図である。
【図１３】ダンパを持ち上げた状態の図１のショーケースの棚部分の拡大縦断側面図である。
【図１４】図１３のショーケースの棚を除くダンパ部分の正面図である。
【図１５】図１４のＢ−Ｂ線断面図である。
【図１６】ダンパを水平とした状態の図１のショーケースの縦断側面図である。
【図１７】図１６のショーケースの棚部分の拡大図である。
【図１８】図１６のショーケースの棚を除くダンパ部分の正面図である。
【図１９】図１８のＣ−Ｃ線断面図である。
【図２０】他の実施例のショーケースのダンパ部分の分解斜視図である（実施例２）。
【図２１】図２０のショーケースの棚を除くダンパ部分の正面図である。
【図２２】図２１のＥ−Ｅ線断面図である。
【図２３】更に他の実施例のショーケースの棚の正面図である（実施例３）。
【図２４】図２３の棚の下面図である。
【図２５】図２３の棚の縦断側面図である。
【発明を実施するための形態】
【００２０】
以下、本発明の実施の形態について、図面に基づき詳細に説明する。
【実施例１】
【００２１】
実施例のショーケース１は、スーパーマーケットやコンビニエンスストア等の店舗において、缶飲料やペットボトル入り飲料等の商品を陳列販売するためのものであり、前面が開口する断面コ字状の断熱壁２により本体が構成されている。この断熱壁２の内側には間隔を存して仕切板３が配設され、更にこの仕切板３の下端には断熱壁２の底壁と間隔を存してデッキパン４が設けられている。そして、これら仕切板３とデッキパン４と断熱壁２との間に一連の冷気ダクト６が構成されると共に、仕切板３及びデッキパン４の内側に前面が開口する陳列室７が構成されている。尚、８、８は透明ガラスが取り付けられた側板であり、断熱壁２の両側に取り付けられている。
【００２２】
陳列室７の前面開口の上縁には冷気吐出口９が構成され、下縁には冷気吸込口１１が構成されており、これらは前記冷気ダクト６と連通している。また、デッキパン４の下方の冷気ダクト６内には送風機１２が配設されると共に、陳列室７の背面の仕切板３とその後方の断熱壁２との間の冷気ダクト６内には冷却装置の冷媒回路を構成する冷却器１３が縦設されている。送風機１２が運転されると、冷却器１３と熱交換した冷気が陳列室７後方の冷気ダクト６内を下から上に吹き上げられ、開口上縁の冷気吐出口９から陳列室７内に吐出される。そして、この陳列室７の前面開口に冷気エアーカーテンを形成しながら陳列室７内を冷却した後、冷気吸込口１１から冷気ダクト６内の送風機１２に吸い込まれることになる。
【００２３】
一方、断熱壁２の下方には機械室１４が構成されており、この機械室１４には冷却装置の冷媒回路を構成する図示しない圧縮機や凝縮器、凝縮器用送風機等が設置される。また、陳列室７の開口上縁の断熱壁２前端には蛍光灯１６が取り付けられている。
【００２４】
更に、陳列室７内には商品陳列用の棚１７が複数段（実施例では３段）架設されており、各棚１７は前後に引出自在とされている。この場合、陳列室７背面の左右両側には、上下に渡る支柱１８が取り付けられており、各支柱１８には上下所定の間隔で係合孔１９が複数形成されている（図１）。
【００２５】
そして、各支柱１８に左右一対のブラケット２１が取り付けられる。各ブラケット２１の後端には、図７〜図９に示すように係合爪２２が形成されており、ブラケット２１はこの係合爪２２を係合孔１９に着脱自在に係合させることにより、支柱１８に係脱自在に取り付けられる。また、左右のブラケット２１には筋交い２３が取り付けられている。この筋交い２３は左右のブラケット２１に渡ってそれらを連結する。また、最上段と中央の棚１７を保持するブラケット２１を連結する筋交い２３は図３、図８、図９、図１２に示すように矩形状の平板にて構成されている。
【００２６】
また、ブラケット２１の外面には前後に渡るスライドレール２４が取り付けられており、このスライドレール２４に棚１７の左右端から降下する側面板２６が取り付けられることにより、棚１７はブラケット２１及び筋交い２３の上側に位置して前後に引出自在に保持されている。尚、２７は各ブラケット２１に取り付けられたストッパであり、棚１７の下面両側に取り付けられたハンドル２５に係合してブラケット２１の上側に位置した状態の棚１７の前後の移動を禁止する。棚１７を前方の陳列室７外に引き出す際には手動によりハンドル２５を上に操作してストッパ２７との係合を解除する。
【００２７】
ここで、棚１７に商品を補充する際等にストッパ２７との係合を解除して棚１７を陳列室７外の前方に引き出すものであるが、この引き出した状態でも筋交い２３はその前端２３Ａが棚１７の後部下側に位置する寸法とされ、棚１７後方の陳列室７内を上下に仕切る。これにより、棚１７が引き出された状態でも、陳列室７は元の棚１７の高さで筋交い２３と棚１７とにより上下に仕切られた状態となる。
【００２８】
棚１７は、図３に示すように上面板２８と、この上面板２８の下側に設けられた断熱材（グラスウール）２９と、上面板２８の断熱材２９側に取り付けられた電気ヒータＨと、上面板２８の両側から降下する前記側面板２６と、前端に取り付けられた棚飾り３２とを備えており、上面板２８、側面板２６、棚飾り３２は何れも金属製である。棚飾り３２はプライスカード３３を取り付けるために用いられるが、最上段及び中央の棚１７に取り付けられた棚飾り３２の下部には斜め前下方に延在する風向板部３２Ａが形成されている。
【００２９】
前述したように最上段及び中央の棚１７を保持するブラケット２１の筋交い２３は矩形状の平板にて構成されており、その後端２３Ｂは仕切板３の直前に位置し、その前部は棚１７の前部まで渡り、前端２３Ａは棚飾り３２の風向板部３２Ａの後側に対峙している（図３）。また、棚１７と筋交い２３の間には図３に示すように所定の間隔が構成されており、ここが空気層３５となる。
【００３０】
他方、最上段及び中央の棚１７及び筋交い２３の後方に対応する位置の仕切板３には、吹出口３４がそれぞれ開口形成されている。各吹出口３４は図６に示すように横長矩形状を呈して棚１７の略全幅に対応する範囲に渡っており、筋交い２３の前後方向における中央部と略同じ高さに位置し、その後方にそれぞれ対応している。そして、各吹出口３４を介して冷気ダクト６内と陳列室７内は連通するが、各吹出口３４にはそれを開閉するためのダンパ３６がそれぞれ取り付けられ、また、各吹出口３４に対応する位置の冷気ダクト６内には、ダンパ保持具３７がそれぞれ取り付けられている（以下、例えば最上段の棚１７について説明するが、中央の棚１７も同様の構成である）。
【００３１】
前記ダンパ保持具３７は、断熱材２、仕切板３及び側板８の内側に沿った略枠状を呈した保持具本体３８と、この保持具本体３８の後辺３８Ａから断熱材２の内面に沿って起立し、断熱材２に固定された後壁３９と、この後壁３９の両側から前方に突出し、下面が斜め後下方に傾斜した案内部４１と、保持具本体３８の中央に位置して断熱材２に固定された中央の支持部４２とを備えている。保持具本体３８の前辺３８Ｂは左右辺３８Ｃ、３８Ｄの前端より低い位置にあり、仕切板３に固定されている。
【００３２】
この前辺３８Ｂの両側部は上昇して左右辺３８Ｃ、３８Ｄの前端に連結しているが、この上昇する部分は吹出口３４の両側縁の外側に位置し、仕切板３の冷気ダクト６側に所定の間隔を存して対向する挟持部４３とされている。各挟持部４３と仕切板３間には、上方及び吹出口３４側の横方向に開口したダンパ挟持用の隙間Ｇがそれぞれ構成される。また、保持具本体３８の中央に位置する支持部４２は、後述するようにダンパ３６が水平状態となったときに、当該ダンパ３６が撓まないようにその中央部を支持するものであり、その上端には磁石（永久磁石）４４が取り付けられ、この磁石４４の上面は、吹出口３４の上縁より少許下の後方（吹出口３４の上部後方）に位置している。
【００３３】
一方、前記ダンパ３６は、図６に示すような横長矩形状の金属製板材から成り、起立した状態で上部に位置する閉塞部４６と、この閉塞部４６より少許幅狭でそれより前側に段差５０を有して階段状にオフセット（折曲）された操作部４７とから成り、操作部４７の下縁は指で摘み易くなるように前側に少許屈曲されている。閉塞部４６の幅寸法は吹出口３４よりも大きく、操作部４７の幅寸法は吹出口３４を通過可能な、それより小さい寸法とされている。
【００３４】
そして、係るダンパ３６は、閉塞部４６が上、操作部４７が下となって上部が後ろとなって傾斜した状態で冷気ダクト６側から仕切板３の吹出口３４内に操作部４７が挿入され、起立した状態で閉塞部４６の両側下部が前記ダンパ保持具３７の挟持部４３と仕切板３間の隙間Ｇ内に上から挿脱自在に落とし込まれる。
【００３５】
（１）全冷却使用状態
この状態が図３、図４、図５に示されており、閉塞部４６と操作部４７の間の段差５０が吹出口３４の下縁に載る。また、閉塞部４６の両側下部が挟持部４３と仕切板３により隙間Ｇ内で保持（図４に破線で示す部分）され、ダンパ３６は自重で起立した状態とされる。この起立状態で、閉塞部４６は仕切板３の冷気ダクト６側に沿って吹出口３４を閉塞し、操作部４７は仕切板３の陳列室７側に沿ったかたちとなる。尚、閉塞部４６の上下寸法は、この起立状態で吹出口３４を閉塞するのに十分な大きさを有している。
【００３６】
この状態では、吹出口３４はダンパ３６の閉塞部４６で閉塞されており、冷気ダクト６内はダンパ保持具３７の枠状の保持具本体３８内を自由に冷気が通過可能に開放される（図５に白抜き矢印で示す）。従って、陳列室７内全体を冷却使用する場合には、最上段及び中央の棚１７に対応する各ダンパ３６を起立させて各吹出口３４を閉塞する。また、電気ヒータＨには通電しない。この状態で冷却器送風機１２が運転されると、前述したように冷却器１３と熱交換した冷気が冷気ダクト６内を上昇し、開口上縁の冷気吐出口９から陳列室７内に吐出され、下縁の冷気吸込口１１から吸い込まれるようになるので、陳列室７の前面開口に冷気エアーカーテンが形成され、陳列室７内全体が所定の温度（例えば、冷蔵温度）に冷却される。
【００３７】
（２）冷温使用状態
次に、例えば最上段の棚１７より上の陳列室７を加温して使用し、それより下の陳列室７は冷却して使用する場合、先ず、陳列室７側に位置しているダンパ３６の操作部４７を摘んで、或いは、下から押してダンパ３６を持ち上げ、図１３、図１４、図１５に示すようにその段差５０を吹出口３４の上縁に当接させる。その状態で閉塞部４６は仕切板３と挟持部４３間の隙間Ｇから上方に離脱しており、操作部４７を手前に引くと、ダンパ３６は操作部４７より閉塞部４６の方が重いため、自重で段差部５０を支点とし、図１３中時計回りに回転する（図１５に破線矢印で示す）。また、最上段の棚１７の電気ヒータＨに通電して発熱させる。
【００３８】
このとき、閉塞部４６の先端両側部はダンパ保持具３７の案内部４１の斜め後下方に傾斜した下面に案内されて円滑に回転（移動）する。そして、図１７、図１８、図１９に示すように閉塞部４６がダンパ保持具３７の支持部４２上に載って水平となる。この水平状態で、ダンパ３６の閉塞部４６はダンパ保持具３７の保持具本体３８内を閉塞するので、冷気ダクト６内はこの高さでダンパ３６の閉塞部４６により閉塞される。また、ダンパ３６の閉塞部４６は、支持部４３の磁石４４に磁力によって吸着されるので、この水平状態は維持される。
【００３９】
一方、吹出口３４は開放されるので、冷却器１３と熱交換して上昇して来た冷気は、閉塞部４６に堰き止められて前方の吹出口３４に向かい、吹出口３４から前方に吹き出されるようになる（図１９に白抜き矢印で示す）。また、操作部４７は吹出口３４の上縁部から陳列室７側に突出し、図１７に示すように棚１７及び筋交い２３と仕切板３間に位置するので、吹出口３４から前方に吹き出された冷気は棚１７より上方に漏れること無く、操作部４７に案内されて前方に向かい、更に筋交い２３に案内されて棚１７の前部（筋交い２３の前部）に至る（図１７中白抜き矢印で示す）。
【００４０】
筋交い２３に案内され、その下面に沿って棚１７の前部に至った冷気は、その前方で斜め前下方に延在する棚飾り３２の風向板部３２Ａに当たり、下方に向きが変えられるので、棚１７より下方の陳列室７の開口付近に下向で吹き出されることになる。これにより、棚１７（最上段の棚）より下方の陳列室７の開口に冷気エアーカーテンを形成しながら、当該下方の陳列室７内を冷却する（冷却使用状態）。
【００４１】
他方、電気ヒータＨは通電されて発熱するので、棚１７の上面板２８は加熱され、その上に陳列された商品のみならず棚１７上方の陳列室７内も加熱されるので、加温使用状態となる。ここで、筋交い２３の下面に冷気が流れるので、筋交い２３の温度は低下するが、筋交い２３と棚１７間には空気層３５が形成されている。この空気層３５は空気が対流しない程度の空間とされており、これにより筋交い２３から間接的に棚１７やその上方の陳列室７内が冷却作用を受ける不都合が防止若しくは抑制される。また、電気ヒータＨからの熱は棚飾り３２にも伝達されるので、風向板部３２Ａも加熱される。これにより、風向板部３２Ａへの結露が防止される。
【００４２】
尚、中央の棚１７より上方を加温使用とする場合には、図１６に示すように当該棚１７のダンパ３６を水平状態として吹出口３４を開放し、冷気ダクト６をその位置で閉塞する（尚、図１６では最上段の棚１７のダンパ３６も水平状態としているが、起立状態でもよい）。これにより、前述同様に冷気ダクト６内を上昇した冷気は、中央の棚１７後方の吹出口３４から吹き出され、当該棚１７の下側の筋交い２３に案内されてその前部からそれより下方の陳列室７内に吹き出されるようになる。また、最上段と中央の各棚１７の電気ヒータＨを発熱させれば、中央の棚１７より上方を加温使用、下方を冷却使用状態とすることができる。
【００４３】
以上の如く本発明では吹出口３４を開閉自在に閉塞するダンパ３６と、吹出口３４に対応して冷気ダクト６内に設けられたダンパ保持具３７を設け、このダンパ保持具３７に、仕切板３の冷気ダクト６側に間隔を存して対向する挟持部４３と、吹出口３４の上部後方に位置する支持部４２を設け、ダンパ３６には、冷気ダクト６側に位置する閉塞部４６と、陳列室７側に位置する操作部４７を形成し、閉塞部４６が仕切板３とダンパ保持具３７の挟持部４３間に挿脱自在に落とし込まれた状態でダンパ３６は起立し、閉塞部４６は仕切板３の冷気ダクト６側に沿って吹出口３４を閉塞し、操作部４７は仕切板３の陳列室７側に沿うと共に、操作部４７によりダンパ３６を持ち上げ、閉塞部４６が仕切板３と挟持部４３間から離脱した状態で水平となり、閉塞部４６はダンパ保持具３７の支持部４２に支持されて冷気ダクト６を閉塞し、操作部４７は吹出口３４より陳列室７側に突出して棚１７及び筋交い２３と仕切板３間に位置するので、回転軸を用いた回動やスライド等の複雑な構造を用いること無く、ダンパ３６により吹出口３４及び冷気ダクト６を開閉することができるようになる。
【００４４】
即ち、棚１７の上下を冷却して使用する場合には、ダンパ３６を起立状態として吹出口３４を閉塞する。そして、棚１７の電気ヒータＨを発熱させて棚１７より上方の陳列室７内を加温して使用し、棚１７より下方には冷気を吐出して冷却する場合には、操作部４７によりダンパ３６を持ち上げ、水平状態として冷気ダクト６を閉塞し、吹出口３４を開くことにより、冷気を棚１７下方に吐出することができるようになり、構造の簡素化による著しい生産コストの削減を図ることができるようになる。
【００４５】
また、ダンパ保持具３７の挟持部４３は吹出口３４の両側に位置してダンパ３６の閉塞部４６の両側を挟持するので、ダンパ３６の起立状態を安定的に維持することができるようになる。また、ダンパ保持具３７の支持部４２は、磁石４４の磁力によりダンパ３６の水平状態を維持するので、簡単な構造でダンパ３６の水平状態を安定的に維持し、且つ、その状態から起立させる操作も容易となる。
【００４６】
また、ダンパ保持具３７に、ダンパ３６の起立状態から水平状態への移動を案内する案内部４１を設けているので、ダンパ３６の起立状態から水平状態への回転移動を円滑に行わせることができるようになる。更に、ダンパ３６の操作部４７は、吹出口３４より陳列室７側に突出した水平状態で、吹出口３４から吹き出された冷気を棚１７及び筋交い２３の前部に向けて案内するので、ダンパ３６の操作部４７にて棚１７の前部に冷気を案内することができるようになり、冷気ダクト６からの冷気の引き込みを円滑に行うことができるようになる。
【００４７】
また、棚１７は筋交い２３の上側に位置して各ブラケット２１に保持されており、筋交い２３が棚１７の前部まで渡り、吹出口３４から吹き出された冷気を棚１７の前部に案内するようにしたので、仕切板３の吹出口３４から吹き出された冷気を、ブラケット２１の筋交い２３により棚１７の前部に案内することができる。これにより、棚１７の上方の加温使用、下方を冷却使用する場合に、格別な棚ダクト等を形成すること無く、ブラケット２１の筋交い２３により冷気を棚１７の前部に案内し、棚１７の下方に吐出することができるようになり、構造の簡素化による生産コストの低減を図ることができるようになる。
【００４８】
特に、棚１７がブラケット２１に引出自在に保持されており、商品の補充のために棚１７が陳列室７内から引き出された状態で、筋交い２３が棚１７後方の陳列室７内を上下に仕切るようにしたので、棚１７を引き出して商品を補充している最中に、棚１７上方の陳列室７内の暖気と下方の陳列室７内の冷気が流通してしまう不都合を防止することができるようになる。これにより、省エネルギーに寄与することができるようになる。
【００４９】
また、棚１７の前端に設けられた棚飾り３２に、吹出口３４から吹き出され、筋交い２３により案内された冷気を下方に指向させる風向板部３２Ａを設けているので、仕切板３方向から前方に流れて来た冷気を、棚飾り３２により棚１７下方に向けて方向転換させることができるようになり、格別な風向板等を取り付ける必要が無くなり、更なる構造の簡素化を図ることが可能となる。
【実施例２】
【００５０】
次に、図２０、図２１、図２２は他の実施例を示している。尚、各図において図１乃至図１９中と同一符号で示すものは同一若しくは同様の機能を奏するものとする。この場合、ダンパ保持具３７の前辺３８Ｂは全体が仕切板３の冷気ダクト６側に所定の間隔を存して上昇し、左右辺３８Ｃ、３８Ｄの前端に至る形状とされており、その上部には複数の透孔４８から成る整流部４９が構成されている。
【００５１】
そして、この整流部４９が吹出口３４に対応し、前述の左右の挟持部４３は吹出口３４の両側縁の外側に位置する整流部４９の両端部に構成されたかたちとなる。ダンパ保持具３７にこのような整流部４９を構成したことにより、吹出口３４から吹き出される冷気を整流し、或いは、吹出部分の高さや吹出量も調整することが可能となり、棚１７から下方に均一に適正量の冷気を吐出することができるようになる。
【実施例３】
【００５２】
次に、図２３、図２４、図２５は更に他の実施例を示している。尚、各図において図１乃至図１９中と同一符号で示すものは同一若しくは同様の機能を奏するものとする。この場合、筋交い２３には、前後に渡って延在する突条５１が複数形成されている。また、各突条５１は前部が左右方向に広がるように配置されている。
【００５３】
仕切板３の吹出口３４から吹き出され、ダンパ３６の操作部４７に案内されて吸込口２３下面に至った冷気は、この突条５１によって整流され、且つ、左右方向に拡散して棚１７の前部に至るようになる。これにより、棚１７から下方に均一に冷気を吐出し、比較的冷気が不足し勝ちとなる陳列室７内左右隅部の冷却も補償することができるようになる。
【００５４】
尚、上記各実施例では電気ヒータＨにより棚１７の上方の陳列室７内を加温して使用する場合について説明したが、電気ヒータを設けずにダンパ３６で冷気ダクト６を閉塞し、棚１７上方の陳列室７内を非冷状態で使用するショーケースにも本発明は有効である。
【００５５】
また、実施例では起立状態で吹出口３４を閉塞し、冷気ダクト６を開き、水平状態で吹出口３４を開き、冷気ダクト６を閉じるダンパ３６を設けたが、それに限らず、吹出口３４と冷気ダクト６を別個に開閉するものなどでも本発明は有効である。
【符号の説明】
【００５６】
１  ショーケース
２  断熱壁
３  仕切板
６  冷気ダクト
７  陳列室
１７  棚
１８  支柱
１９  係合孔
２１  ブラケット
２３  筋交い
３２  棚飾り
３２Ａ  風向板部
３４  吹出口
３６  ダンパ
３７  ダンパ保持具
４１  案内部
４２  支持部
４３  挟持部
４４  磁石
４６  閉塞部
４７  操作部
４９  整流部
５１  突条
Ｈ  電気ヒータ
【図１】
2014121429.tif 000003
【図２】
2014121429.tif 000004
【図３】
2014121429.tif 000005
【図４】
2014121429.tif 000006
【図５】
2014121429.tif 000007
【図６】
2014121429.tif 000008
【図７】
2014121429.tif 000009
【図８】
2014121429.tif 000010
【図９】
2014121429.tif 000011
【図１０】
2014121429.tif 000012
【図１１】
2014121429.tif 000013
【図１２】
2014121429.tif 000014
【図１３】
2014121429.tif 000015
【図１４】
2014121429.tif 000016
【図１５】
2014121429.tif 000017
【図１６】
2014121429.tif 000018
【図１７】
2014121429.tif 000019
【図１８】
2014121429.tif 000020
【図１９】
2014121429.tif 000021
【図２０】
2014121429.tif 000022
【図２１】
2014121429.tif 000023
【図２２】
2014121429.tif 000024
【図２３】
2014121429.tif 000025
【図２４】
2014121429.tif 000026
【図２５】
2014121429.tif 000027